(57)【特許請求の範囲】
【請求項１】
網刃(4B)をホルダー(4A)に連結している外刃(4)と、この外刃(4)を脱着できる刃枠(2)とを備え、
刃枠(2)は、外刃(4)の両端部と対向する位置に一対の端部壁(2A)を有すると共に、一対の端部壁(2A)を連結部(2B)で連結しており、端部壁(2A)を連結部(2B)から突出するように設けて、一対の端部壁(2A)の間に外刃(4)を脱着できるようにしており、
さらに刃枠(2)は、連結部(2B)と平行に配設してなる係止横バー(5)と、この係止横バー(5)を外側に装着される外刃(4)のホルダー(4A)に向かって弾性的に押し出す弾性体(6)とを備え、
係止横バー(5)は、外刃(4)の内面と対向する位置に配設されて、係止横バー(5)と外刃(4)は、いずれか一方に係止凸部(8)を、他方に係止凸部(8)を係止する係止凹部(7)を設けており、
係止横バー(5)が弾性体(6)で外刃(4)のホルダー(4A)の内面に弾性的に押圧されて、外刃(4)を刃枠(2)に連結すると共に、
連結部(2B)の上面に突出して、係止横バー(5)が押し込まれるのを阻止するストッパ凸部(11)を設けてなる電気かみそり。
【請求項２】
互いに分離された一対の係止横バー(5)を刃枠(2)の両側の連結部(2B)と平行に配設しており、両係止横バー(5)の端部に、弾性体(6)であるコイルスプリング(6A)を連結しており、このコイルスプリング(6A)が係止横バー(5)を外刃(4)のホルダー(4A)の内面に弾性的に押圧している請求項１に記載される電気かみそり。
【請求項３】
弾性体(6)が、係止横バー(5)の内面に固定している弾性金属板(6B)である請求項１に記載される電気かみそり。
【請求項４】
弾性体(6)が、係止横バー(5)の内面に固定している弾性金属板(6B)と、コイルスプリング(6A)である請求項２に記載される電気かみそり。
【請求項５】
端部壁(2A)の内面に、係止横バー(5)を案内保持するガイド溝(10)を設けており、このガイド溝(10)を用いて係止横バー(5)を刃枠(2)に装着している請求項１に記載される電気かみそり。
【請求項６】
係止横バー(5)が両端に近い部分に係止凸部(8)を有し、外刃(4)のホルダー(4A)の内面には、この係止凸部(8)と対向する位置に係止凹部(7)を設けている請求項１に記載される電気かみそり。
【発明の詳細な説明】
【０００１】
【発明の属する技術分野】
本発明は、外刃を刃枠に脱着できるように連結している電気かみそりに関する。
【０００２】
【従来の技術】
電気かみそりは、使用すると外刃の内側にひげくずがたまる。これを清掃するために、外刃を脱着できるように刃枠に連結している。外刃は、内面に沿って内刃を摺動し、外刃のひげ孔に挿入されたひげを内刃でカットする。内刃と外刃の間に隙間ができると、ひげを効率よくカットできなくなる。このため、脱着される外刃は、刃枠の定位置に装着することが大切である。また、簡単に脱着できることも大切である。
【０００３】
外刃を刃枠に脱着できる電気かみそりは、特表2000-516116号に記載される。この電気かみそりは、図１に示すように、刃枠２０に弾性突出部２１を設け、この弾性突出部２１を案内する凹部（図示せず）を外刃２２のホルダー２２Ａの内面に設けている。弾性突出部２１は、内蔵される押しバネ（図示せず）で外側に弾性的に押し出されている。この電気かみそりは、外刃２２を刃枠２０に装着すると、弾性突出部２１がホルダー２２Ａの内面の凹部に弾性的に突出して、外刃２２を刃枠２０に抜けないように連結する。
【０００４】
【発明が解決しようとする課題】
図１に示す電気かみそりは、外刃を簡単に脱着できる特長がある。しかしながら、この構造の電気かみそりは、弾性突出部を弾性的に突出するように設ける機構が複雑となり、また、非常に小さいパーツを狭い部分に入れて組み立てるので、組み立てに手間がかかる欠点がある。また、長期間使用して、弾性突出部がスムーズに出入りできなくなると、外刃をしっかりと刃枠に連結するのが難しくなる欠点もある。
【０００５】
本発明は、この欠点を解決することを目的に開発されたものである。本発明の重要な目的は、極めて簡単な機構で組み立てを簡単にでき、製造コストを低減しながら、外刃をしっかりと装着できるように脱着できる電気かみそりを提供することにある。
【０００６】
【課題を解決するための手段】
本発明の電気かみそりは、網刃４Ｂをホルダー４Ａに連結している外刃４と、この外刃４を脱着できるように連結している刃枠２とを備える。刃枠２は、外刃４の両端部と対向する位置に一対の端部壁２Ａを有すると共に、一対の端部壁２Ａを連結部２Ｂで連結しており、端部壁２Ａを連結部２Ｂから突出するように設けて、一対の端部壁２Ａの間に外刃４を連結している。さらに、刃枠２は、連結部２Ｂと平行に配設してなる弾性変形する係止横バー５と、この係止横バー５を、外側に装着される外刃４のホルダー４Ａに向かって弾性的に押し出す弾性体６とを備える。係止横バー５は、外刃４の内面と対向する位置に配設している。係止横バー５と外刃４は、いずれか一方に係止凸部８を、他方に係止凸部８を係止する係止凹部７を設けている。係止横バー５が弾性体６で外刃４のホルダー４Ａの内面に弾性的に押圧されて、外刃４を刃枠２に連結している。
【０００７】
刃枠２は、互いに分離された一対の係止横バー５を、両側の連結部２Ｂと平行に配設して、両係止横バー５の端部に、弾性体６であるコイルスプリング６Ａを連結することができる。この刃枠２は、コイルスプリング６Ａが係止横バー５を外刃４のホルダー４Ａの内面に弾性的に押圧して外刃４を連結する。弾性体６は、係止横バー５の内面に固定している弾性金属板６Ｂとするこもできる。さらに、好ましくは、弾性金属板６Ｂとコイルスプリング６Ａの両方を弾性体６として、係止横バー５を外刃４のホルダー４Ａに向かって弾性的に押し出す。
【０００８】
刃枠２は、端部壁２Ａの内面に、係止横バー５を変形できるように保持するガイド溝１０を設けて、このガイド溝１０に係止横バー５を案内して、係止横バー５を刃枠２に装着することができる。係止横バー５は、両端に近い部分に係止凸部８を設けて、外刃４のホルダー４Ａの内面には、この係止凸部８と対向する位置に係止凹部７を設けることができる。さらに、刃枠２は、連結部２Ｂの上面に突出して、係止横バー５が押し込まれるのを阻止するストッパ凸部１１を設けることができる。刃枠２は、脱着できるようにカミソリ本体１に連結することができる。
【０００９】
【発明の実施の形態】
以下、本発明の実施例を図面に基づいて説明する。ただし、以下に示す実施例は、本発明の技術思想を具体化するための電気かみそりを例示するものであって、本発明は電気かみそりを以下のものに特定しない。
【００１０】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
図２と図３に示す電気かみそりは、往復運動する内刃３を上端に連結しているカミソリ本体１と、このカミソリ本体１に脱着できるように連結している刃枠２と、この刃枠２に脱着できるように連結されて内面に沿って内刃３を往復運動させる外刃４とを備える。
【００１２】
外刃４は、アーチ状に湾曲している網刃４Ｂをプラスチック製のホルダー４Ａに連結している。網刃４Ｂは、無数のひげ孔を貫通して設けており、このひげ孔に挿入されたひげを往復運動する内刃３でカットする。網刃４Ｂは、交換できるようにホルダー４Ａに連結され、あるいは交換できないようにホルダー４Ａに固定される。ホルダー４Ａは、図４の横断面図に示すように、係止凹部７を内面に設けている。係止凹部７は、刃枠２に設けている係止横バー５の係止凸部８と対向する位置に設けられる。一対の係止横バー５は、図３に示すように、両端部に係止凸部８を設けているので、ホルダー４Ａは４つの係止凹部７を設けている。図の電気かみそりは、ホルダー４Ａに係止凹部７を設け、ここに係止横バー５の係止凸部８を入れて、外刃４を刃枠２に連結している。図示しないが、この構造とは反対に、ホルダーに係止凸部を設けて係止横バーに係止凹部を設け、係止凸部を係止凹部に入れて、外刃を刃枠に連結することもできる。さらに、ホルダー４Ａは、刃枠２から外すときに指がすべらないように、外側の下部に沿ってすじ状の凹凸部９を設けている。
【００１３】
刃枠２は、外刃４の両端部と対向する位置に一対の端部壁２Ａを有し、一対の端部壁２Ａの下部両側を連結部２Ｂで連結している。端部壁２Ａは、連結部２Ｂから突出するように設けられ、一対の端部壁２Ａの間に外刃４を連結している。刃枠２は、端部壁２Ａと連結部２Ｂからなる全体をアルミニウムやアルミニウム合金等の金属で一体的に成形している。端部壁２Ａは、その外周を外刃４の外形に沿う形状として、外刃４の両端をカバーしている。
【００１４】
この刃枠２は、外刃４を脱着できるように連結するために、互いに分離された一対の係止横バー５と、この係止横バー５を弾性的に押圧している弾性体６を備える。一対の係止横バー５は、弾性変形できるプラスチックでもって、同じ形状として別々に成形される。係止横バー５は、両端部に弾性体６であるコイルスプリング６Ａを連結している。コイルスプリング６Ａを連結するために、両端の内側面には、コイルスプリング６Ａに挿入される連結ロッド５Ａを突出して設けている。さらに、係止横バー５は、外側面に突出するように係止凸部８を一体成形して設けている。係止凸部８は、係止横バー５の両端に近い部分に設けられる。図の係止凸部８は、横断面図形状を中央凸に突出させる山形としている。係止凸部８を入れるホルダー４Ａの係止凹部７は、この係止凸部８と同じ形状の凹部としている。係止凸部８と係止凹部７をこの形状とする電気かみそりは、外刃４を強く引っ張って刃枠２から外すことができ、また、刃枠２に強く押し込んで定位置に装着できる。
【００１５】
係止横バー５は、刃枠２の連結部２Ｂと平行で、ホルダー４Ａの内面の下縁部と対向する位置に配設される。係止横バー５は、両端とその中央を刃枠２に連結している。刃枠２は、係止横バー５の両端を案内保持するために、端部壁２Ａの内面にガイド溝１０を設けている。ガイド溝１０は、係止横バー５の端部を案内して、係止横バー５を定位置に連結する。ガイド溝１０は、弾性体６であるコイルスプリング６Ａも配設している。ガイド溝１０は、弾性体６であるコイルスプリング６Ａが係止横バー５を押圧する方向に伸びるように設けられる。さらに、連結部２Ｂの上面に突出してストッパ凸部１１を設けている。このストッパ凸部１１は、図２と図５に示すように、係止横バー５の内側面に設けられて、係止横バー５がホルダー４Ａで押し込まれるのを阻止する。ただし、図５はストッパ凸部１１をわかりやすくするために、図のＡで示す部分を切り欠いて一部断面図としている。
【００１６】
弾性体６は、係止横バー５を外側に装着される外刃４のホルダー４Ａに向かって弾性的に押し出して、係止凸部８を係止凹部７に入れて、外刃４を刃枠２に連結する。弾性金属板６Ｂは、その両端に穴を有し、この穴に係止横バー５に設けられた凸部を入れた状態で凸部の先端を熱でつぶして固定されている。図の弾性体６は、係止横バー５の端部を押圧するコイルスプリング６Ａと、係止横バー５の内面に固定している弾性金属板６Ｂで構成される。この電気かみそりは、コイルスプリング６Ａと弾性金属板６Ｂの両方で、係止横バー５をホルダー４Ａに弾性的に押し出すので、外刃４をしっかりと刃枠２に連結できる。ただ、本発明の電気かみそりは、弾性体をコイルスプリングのみで構成し、あるいは弾性金属板のみで構成することもできる。コイルスプリング６Ａと弾性金属板６Ｂは、係止横バー５の端部を弾性的に押し出し、係止凸部８を係止凹部７に案内して、外刃４を刃枠２に連結する。
【００１７】
カミソリ本体１は、図示しないが、内刃３を往復運動させる駆動機構を内蔵している。内刃３は、平行に並べて設けられた多数の刃板を有する。刃板は、上端縁をアーチ状に湾曲して、外刃４の内面に沿う形状としている。内刃３の駆動機構は、電池と、この電池で駆動されるモーターと、モーターの回転を往復運動に変換するカム機構と、カム機構で往復運動される振動台１２とを備えており、振動台１２に内刃３を連結している。内刃３は、弾性的に突出するように振動台１２に連結されて、外刃４の内面に弾性的に押圧される状態で往復運動される。
【００１８】
さらに、カミソリ本体１は、刃枠２を脱着するためのフック１３を両側に設けている。フック１３は、先端を外側に弾性的に突出させて、刃枠２の内側に設けている引掛凹部１４に引っかけて、刃枠２をカミソリ本体１に外れないように連結する。さらに、フック１３は、外しボタン１５をケースの外側に突出させている。外しボタン１５が押されると、フック１３の先端が引掛凹部１４から外れる。この状態になると、刃枠２はカミソリ本体１から外される。
【００１９】
【発明の効果】
本発明の電気かみそりは、極めて簡単な機構で組み立てを簡単にできると共に、製造コストを低減しながら、外刃をしっかりと装着できるように脱着できる特長がある。それは、本発明の電気かみそりが、刃枠に配設してなる係止横バーを外刃の内面と対向する位置に配設すると共に、係止横バーと外刃のいずれか一方に係止凸部を、他方に係止凸部を係止する係止凹部を設けており、さらに、係止横バーを弾性体で外刃のホルダーの内面に弾性的に押圧して外刃を刃枠に連結しているからである。このように、係止横バーを弾性体で外刃のホルダーに押圧する構造は、従来のように複雑な機構で弾性突出部を弾性的に突出させることなく、極めて簡単な構造として簡単に組み立てできると共に、長期間にわたって、外刃をしっかりと刃枠に連結できる特長がある。
【図面の簡単な説明】
【図１】従来の電気かみそりの分解斜視図
【図２】本発明の一実施例にかかる電気かみそりの分解斜視図
【図３】図１に示す電気かみそりの刃枠と外刃の脱着構造を示す分解斜視図
【図４】刃枠と外刃の連結構造を示す断面図
【図５】刃枠の一部断面平面図
【符号の説明】
１…カミソリ本体
２…刃枠                ２Ａ…端部壁            ２Ｂ…連結部
３…内刃
４…外刃                ４Ａ…ホルダー          ４Ｂ…網刃
５…係止横バー      ５Ａ…連結ロッド
６…弾性体              ６Ａ…コイルスプリング  ６Ｂ…弾性金属板
７…係止凹部
８…係止凸部
９…凹凸部
１０…ガイド溝
１１…ストッパ凸部
１２…振動台
１３…フック
１４…引掛凹部
１５…外しボタン
２０…刃枠
２１…弾性突出部
２２…外刃              ２２Ａ…ホルダー
【図１】
0003802385.tif 000002
【図２】
0003802385.tif 000003
【図３】
0003802385.tif 000004
【図４】
0003802385.tif 000005
【図５】
0003802385.tif 000006